(57)【要約】【課題】振動や温度変化などの外乱により雄ネジ部品と雌ネジ部品との締結が弱化したり解除されることを良好に防止できる、締結部品セットを提供する。【解決手段】雄ネジ部品１１０の本体軸部１１１の本体雄ネジ１１２に、雌ネジ部品１２０の内部雌ネジ１２１が螺合する。この雌ネジ部品１２０のストッパ挿入孔１２３に、回転ストッパ１３０が挿入されて回転不能に係合する。この回転ストッパ１３０の貫通孔１３２を介して、締結ボルト１４０が雄ネジ部品１１０と締結され、回転ストッパ１３０を雄ネジ部品１１０に圧接させる。このため、雄ネジ部品１１０は回転ストッパ１３０に押圧されて回転困難となる。この回転ストッパ１３０は、雄ネジ部品１１０に螺合されている雌ネジ部品１２０に回転不能に係合しているので、雄ネジ部品１１０と雌ネジ部品１２０とが回転不能の状態となる。【選択図】図１
2013194881.tif 000002
【特許請求の範囲】
【請求項１】
本体軸部の外周面に本体雄ネジが形成されている雄ネジ部品と、
前記本体雄ネジに螺合される内部雌ネジ、ストッパ挿入孔、が同軸上に貫通されている雌ネジ部品と、
前記ストッパ挿入孔に挿入されて回転不能に係合する回転ストッパと、
前記回転ストッパを前記雄ネジ部品に圧接させるストッパ圧接機構と、
を有する締結部品セット。
【請求項２】
前記回転ストッパは、軸線方向に貫通孔が形成されており、
前記雄ネジ部品は、前記本体軸部の少なくとも先端部分に先端雌ネジが形成されており、
前記ストッパ圧接機構は、前記回転ストッパの貫通孔に挿通されて前記雄ネジ部品の内部雌ネジに締結される締結ボルトからなる、
請求項１に記載の締結部品セット。
【請求項３】
前記雄ネジ部品の本体雄ネジと内部雌ネジとが逆ネジに形成されており、
前記雌ネジ部品の先端雌ネジと前記締結ボルトのボルト雄ネジとが逆ネジに形成されている、
請求項２に記載の締結部品セット。
【請求項４】
前記雄ネジ部品の本体雄ネジと内部雌ネジとのネジピッチが相違しており、
前記雌ネジ部品の先端雌ネジと前記締結ボルトのボルト雄ネジとのネジピッチが相違している、
請求項２または３に記載の締結部品セット。
【請求項５】
前記回転ストッパは、軸線方向に貫通孔が形成されており、
前記雄ネジ部品は、前記本体軸部の先端部分から同軸上に前記回転ストッパの貫通孔を挿通する延長軸部が突設されており、前記延長軸部の外周面に延長雄ネジが形成されており、
前記ストッパ圧接機構は、前記回転ストッパの貫通孔を挿通した前記延長軸部の延長雄ネジに締結される締結ナットからなる、
請求項１に記載の締結部品セット。
【請求項６】
前記雄ネジ部品の本体雄ネジと延長雄ネジとが逆ネジに形成されており、
前記雌ネジ部品の先端雌ネジと前記締結ナットのナット雌ネジとが逆ネジに形成されている、
請求項５に記載の締結部品セット。
【請求項７】
前記雄ネジ部品の本体雄ネジと内部雌ネジとのネジピッチが相違しており、
前記雌ネジ部品の先端雌ネジと前記締結ナットのナット雌ネジとのネジピッチが相違している、
請求項５または６に記載の締結部品セット。
【請求項８】
前記雌ネジ部品のストッパ挿入孔が非円形の断面形状に形成されており、
前記回転ストッパが前記ストッパ挿入孔に対応した非円形の断面形状に形成されている、
請求項１ないし７の何れか一項に記載の締結部品セット。
【請求項９】
前記雌ネジ部品のストッパ挿入孔が六角形の断面形状に形成されており、
前記回転ストッパが前記ストッパ挿入孔に対応した六角形の断面形状に形成されている、
請求項８に記載の締結部品セット。
【発明の詳細な説明】
【技術分野】
【０００１】
この発明は、雄ネジ部品と雌ネジ部品とを締結させる締結部品セットに関するものである。
【背景技術】
【０００２】
従来から、各種の機械などの組立構造で、雄ネジ部品と雌ネジ部品との締結が利用されている。雄ネジ部品は、締結ボルトである六角ボルトやアレンボルトなどからなり、雌ネジ部品は、締結ナットである六角ナットやアレンナットなどからなる。
【０００３】
このような雄ネジ部品と雌ネジ部品とを締結させる締結部品セットは、複数の機械部品を一体に固定することができる。しかし、締結部品セットは、雄ネジ部品と雌ネジ部品とを螺合させて摩擦力により締結させる。
【０００４】
このため、振動や温度変化などの外乱が作用すると、雄ネジ部品と雌ネジ部品との締結が弱化したり、解除されることもある。これを防止するため、雌ネジ部品の雌ネジ孔を奥側ほど狭くなるように形成した締結部品セットが提案されている（例えば、特許文献１参照）。
【先行技術文献】
【特許文献】
【０００５】
【特許文献１】特開平０９−０６０６３１号公報
【発明の概要】
【発明が解決しようとする課題】
【０００６】
しかし、特許文献１の技術は、雄ネジ部品と雌ネジ部品との雄ネジと雌ネジとの摩擦力を増加させるものでしかない。このため、振動や温度変化などの外乱が作用したときに、雄ネジ部品と雌ネジ部品との締結が弱化したり解除されることを、良好に防止することは困難である。
【０００７】
本発明は上述のような課題に鑑みてなされたものであり、振動や温度変化などの外乱により雄ネジ部品と雌ネジ部品との締結が弱化したり解除されることを良好に防止できる、締結部品セットを提供するものである。
【課題を解決するための手段】
【０００８】
上述のような課題を解決するため、本発明の締結部品セットは、本体軸部の外周面に本体雄ネジが形成されている雄ネジ部品と、上記本体雄ネジに螺合される内部雌ネジ、ストッパ挿入孔、が同軸上に貫通されている雌ネジ部品と、上記ストッパ挿入孔に挿入されて回転不能に係合する回転ストッパと、上記回転ストッパを上記雄ネジ部品に圧接させるストッパ圧接機構と、を有する。
【０００９】
従って、この締結部品セットでは、雄ネジ部品の本体軸部の外周面に形成されている本体雄ネジに、雌ネジ部品に形成されている内部雌ネジが螺合する。この雌ネジ部品のストッパ挿入孔に、回転ストッパが挿入されて回転不能に係合する。この回転ストッパをストッパ圧接機構が雄ネジ部品に圧接させる。このため、雄ネジ部品は回転ストッパに押圧されて回転困難となる。この回転ストッパは、雄ネジ部品に螺合されている雌ネジ部品に回転不能に係合しているので、雄ネジ部品と雌ネジ部品とが回転不能の状態となる。
【００１０】
上述のような締結部品セットにおいて、さらに本発明では、上記回転ストッパは、軸線方向に貫通孔が形成されており、上記雄ネジ部品は、上記本体軸部の少なくとも先端部分に先端雌ネジが形成されており、上記ストッパ圧接機構は、上記回転ストッパの貫通孔に挿通されて上記雄ネジ部品の内部雌ネジに締結される締結ボルトからなる。
【００１１】
従って、この締結部品セットでは、ストッパ圧接機構である締結ボルトが、回転ストッパの貫通孔に挿通されて、雄ネジ部品の本体軸部の内部雌ネジに締結される。このため、ストッパ圧接機構として既存の締結ボルトを利用することができる。
【００１２】
上述のような締結部品セットにおいて、さらに本発明では、上記雄ネジ部品の本体雄ネジと内部雌ネジとが逆ネジに形成されており、上記雌ネジ部品の先端雌ネジと上記締結ボルトのボルト雄ネジとが逆ネジに形成されている。
【００１３】
従って、この締結部品セットでは、雄ネジ部品の本体雄ネジに螺合される雌ネジ部品の回転方向と、雌ネジ部品の先端雌ネジに螺合される締結ボルトの回転方向と、が逆転している。このため、雄ネジ部品に螺合されている雌ネジ部品の締結を弱化する方向の回転は、雄ネジ部品に螺合されてる締結ボルトの締結を強化することになる。雄ネジ部品に螺合されてる締結ボルトの締結を弱化する方向の回転は、雄ネジ部品に螺合されている雌ネジ部品の締結を強化することになる。
【００１４】
上述のような締結部品セットにおいて、さらに本発明では、上記雄ネジ部品の本体雄ネジと内部雌ネジとのネジピッチが相違しており、上記雌ネジ部品の先端雌ネジと上記締結ボルトのボルト雄ネジとのネジピッチが相違している。
【００１５】
従って、この締結部品セットでは、雄ネジ部品と雌ネジ部品との螺合の回転と、雄ネジ部品と締結ボルトとの螺合の回転とで、軸線方向の変位量が相違する。このため、雄ネジ部品に螺合されている雌ネジ部品と締結ボルトとが同一に回転して締結が解除されることがない。
【００１６】
上述のような締結部品セットにおいて、さらに本発明では、上記回転ストッパは、軸線方向に貫通孔が形成されており、上記雄ネジ部品は、上記本体軸部の先端部分から同軸上に上記回転ストッパの貫通孔を挿通する延長軸部が突設されており、上記延長軸部の外周面に延長雄ネジが形成されており、上記ストッパ圧接機構は、上記回転ストッパの貫通孔を挿通した延長軸部の延長雄ネジに締結される締結ナットからなる。
【００１７】
従って、この締結部品セットでは、雄ネジ部品の本体軸部から突設されている延長軸部が、回転ストッパの貫通孔に挿通され、この回転ストッパの貫通孔を挿通した延長軸部の延長雄ネジに、ストッパ圧接機構である締結ナットが締結される。このため、ストッパ圧接機構として既存の締結ナットを利用することができる。
【００１８】
上述のような締結部品セットにおいて、さらに本発明では、上記雄ネジ部品の本体雄ネジと延長雄ネジとが逆ネジに形成されており、上記雌ネジ部品の先端雌ネジと上記締結ナットのナット雌ネジとが逆ネジに形成されている。
【００１９】
従って、この締結部品セットでは、雄ネジ部品の本体雄ネジに螺合される雌ネジ部品の回転方向と、雌ネジ部品の延長雄ネジに螺合される締結ナットの回転方向と、が逆転している。このため、雄ネジ部品に螺合されている雌ネジ部品の締結を弱化する方向の回転は、雄ネジ部品に螺合されてる締結ナットの締結を強化することになる。雄ネジ部品に螺合されてる締結ナットの締結を弱化する方向の回転は、雄ネジ部品に螺合されている雌ネジ部品の締結を強化することになる。
【００２０】
上述のような締結部品セットにおいて、さらに本発明では、上記雄ネジ部品の本体雄ネジと内部雌ネジとのネジピッチが相違しており、上記雌ネジ部品の先端雌ネジと上記締結ナットのナット雌ネジとのネジピッチが相違している。
【００２１】
従って、この締結部品セットでは、雄ネジ部品と雌ネジ部品との螺合の回転と、雄ネジ部品と締結ナットとの螺合の回転とで、軸線方向の変位量が相違する。このため、雄ネジ部品に螺合されている雌ネジ部品と締結ナットとが同一に回転して締結が解除されることがない。
【００２２】
上述のような締結部品セットにおいて、さらに本発明では、上記雌ネジ部品のストッパ挿入孔が非円形の断面形状に形成されており、上記回転ストッパが上記ストッパ挿入孔に対応した非円形の断面形状に形成されている。従って、この締結部品セットでは、端面形状が非円形の雌ネジ部品のストッパ挿入孔に、端面形状が非円形の回転ストッパが挿入されて回転不能に係合する。
【００２３】
上述のような締結部品セットにおいて、さらに本発明では、上記雌ネジ部品のストッパ挿入孔が六角形の断面形状に形成されており、上記回転ストッパが上記ストッパ挿入孔に対応した六角形の断面形状に形成されている。従って、この締結部品セットでは、雌ネジ部品を既存のアレンナットと同様に、アレンキーで回転させることができる。
【発明の効果】
【００２４】
本発明に記載の締結部品セットでは、ストッパ圧接機構により雄ネジ部品に回転ストッパが圧接されているので、雄ネジ部品は回転ストッパに押圧されて回転困難となる。この回転ストッパは、雄ネジ部品に螺合されている雌ネジ部品に回転不能に係合しているので、雄ネジ部品と雌ネジ部品とが回転不能の状態となる。従って、振動や温度変化などの外乱により雄ネジ部品と雌ネジ部品との締結が弱化したり解除されることを良好に防止できる。
【図面の簡単な説明】
【００２５】
【図１】本発明の実施の第一の形態の締結部品セットの組立構造を示す模式的な縦断側面図である。
【図２】本発明の実施の第一の形態の締結部品セットの第一の組立工程を示す模式的な縦断側面図である。
【図３】本発明の実施の第一の形態の締結部品セットの第二の組立工程を示す模式的な縦断側面図である。
【図４】本発明の実施の第一の形態の締結部品セットの第三の組立工程を示す模式的な縦断側面図である。
【図５】本発明の実施の第二の形態の締結部品セットの組立構造を示す模式的な縦断側面図である。
【発明を実施するための形態】
【００２６】
つぎに、本発明の実施の第一の形態に関して図１ないし図４を参照して以下に説明する。  本実施の形態の締結部品セット１００は、図１に示すように、雄ネジ部品１１０と、雌ネジ部品１２０と、回転ストッパ１３０と、ストッパ圧接機構である締結ボルト１４０と、爪付ワッシャ１５０と、を有する。
【００２７】
雄ネジ部品１１０は、図１および図２に示すように、図中上下方向が軸線方向となる縦長形状の本体軸部１１１からなる。その外周面には本体雄ネジ１１２が形成されており、本体軸部１１１の先端部分１１３に先端雌ネジ１１４が形成されている。
【００２８】
雌ネジ部品１２０は、図中上下方向が軸線方向となる円筒状に形成されている。その内周面の下部には、本体雄ネジ１１２に螺合される内部雌ネジ１２１が、上部には、軸線方向と直交する断面形状が円形ではないストッパ挿入孔１２３が、同軸上に貫通されている。
【００２９】
この雌ネジ部品１２０のストッパ挿入孔１２３は、図１(ａ)に示すように、六角形の断面形状に形成されている。また、雌ネジ部品１２０の下部の内部雌ネジ１２１と上部のストッパ挿入孔１２３との中間には、大径の中間スペース１２２が形成されている。
【００３０】
回転ストッパ１３０は、図１および図２に示すように、図中上下方向が軸線方向となる筒状に形成されている。詳細には後述するが、その軸線方向には締結ボルト１４０の雄ネジ部１４１が回転自在に挿通される、所定内径の貫通孔１３２が貫通されている。
【００３１】
また、この回転ストッパ１３０は、ストッパ挿入孔１２３に挿入されて回転不能に係合する外面１３１が形成されている。前述のように雌ネジ部品１２０のストッパ挿入孔１２３は、図１(ａ)に示すように、六角形の断面形状に形成されているため、この回転ストッパ１３０の外面１３１も、六角形の平面形状に形成されている。
【００３２】
なお、ストッパ挿入孔１２３と回転ストッパ１３０の断面形状は、必ずしも六角形である必要は無く、ストッパ挿入孔１２３と回転ストッパ１３０の相対的な回転を防止できるものであればよい。
【００３３】
例えば、本体軸部１１１に対して偏心した形状、または非円形であればよい。この場合、回転ストッパ１３０の断面形状は、ストッパ挿入孔１３０に対応した断面形状に形成されている。
【００３４】
締結ボルト１４０は、図１および図４に示すように、既存の六角ボルトからなり、図中上下方向が軸線方向となる軸状の雄ネジ部１４１と、平面形状が六角形のボルトヘッド１４２と、からなる。
【００３５】
この締結ボルト１４０は、締結ボルト１４０は、回転ストッパ１３０の貫通孔１３２に挿通されて雄ネジ部品１１０の先端雌ネジ１１４に締結され、回転ストッパ１３０を雄ネジ部品１１０に圧接させる。爪付ワッシャ１５０は、既存の部品からなり、締結ボルト１４０のボルトヘッド１４２の下面と回転ストッパ１３０の上面とに挟持される。
【００３６】
なお、本実施の形態の締結部品セット１００では、雄ネジ部品１１０の大径の本体雄ネジ１１２と小径の内部雌ネジ１２１とのネジピッチが相違しており、雌ネジ部品１２０の大径の内部雌ネジ１２１と小径の締結ボルト１４０のボルト雄ネジとのネジピッチが相違している。
【００３７】
上述のような構成において、本実施の形態の締結部品セット１００では、例えば、一対の平板状の金属部品などを(図示せず)、雄ネジ部品１１０と雌ネジ部品１２０との締結で固定する。
【００３８】
その場合、図２および図３に示すように、まず最初に、雄ネジ部品１１０に雌ネジ部品１２０を、図中上方から必要な位置まで螺合させる。つぎに、図３および図４に示すように、雄ネジ部品１１０に下部が螺合した雌ネジ部品１２０の上部のストッパ挿入孔１２３に、回転ストッパ１３０を図中上方から挿入する。
【００３９】
つぎに、図４および図１に示すように、この雌ネジ部品１２０に挿入された回転ストッパ１３０の上面に爪付ワッシャ１５０を配置し、この爪付ワッシャ１５０を介して締結ボルト１４０を雄ネジ部品１１０の先端雌ネジ１１４に締結する。
【００４０】
このとき、締結ボルト１４０は、軸状の雄ネジ部１４１が回転ストッパ１３０の貫通孔１３２に挿通されて、雄ネジ部品１１０の本体軸部１１１の図中上端の先端雌ネジ１１４に締結される。
【００４１】
本実施の形態の締結部品セット１００では、上述のように締結ボルト１４０が雄ネジ部品１１０と締結されることにより、回転ストッパ１３０が雄ネジ部品１１０に圧接される。このため、雄ネジ部品１１０は回転ストッパ１３０に押圧されて回転困難となる。
【００４２】
この回転ストッパ１３０は、雄ネジ部品１１０に螺合されている雌ネジ部品１２０に回転不能に係合しているので、雄ネジ部品１１０と雌ネジ部品１２０とが回転不能の状態となる。
【００４３】
従って、本実施の形態の締結部品セット１００では、振動や温度変化などの外乱により雄ネジ部品１１０と雌ネジ部品１２０との締結が弱化したり解除されることを良好に防止できる。
【００４４】
しかも、本実施の形態の締結部品セット１００では、前述のように雄ネジ部品１１０の大径の本体雄ネジ１１２と小径の内部雌ネジ１２１とのネジピッチが相違しており、雌ネジ部品１２０の大径の内部雌ネジ１２１と小径の締結ボルト１４０のボルト雄ネジとのネジピッチが相違している。
【００４５】
このため、雄ネジ部品１１０と雌ネジ部品１２０との螺合の回転と、雄ネジ部品１１０と締結ボルト１４０との螺合の回転とで、軸線方向の変位量が相違する。従って、雄ネジ部品１１０に螺合されている雌ネジ部品１２０と締結ボルト１４０とが同一に回転して締結が解除されることもない。
【００４６】
さらに、締結ボルト１４０は既存の六角ボルトからなり、爪付ワッシャ１５０も既存の部品からなるので、締結部品セット１００の構成を簡単とすることができ、最終的に使用する締結ボルト１４０と爪付ワッシャ１５０を容易に交換することもできる。
【００４７】
また、本実施の形態の締結部品セット１００では、雌ネジ部品１２０のストッパ挿入孔１２３が六角形の断面形状に形成されている。従って、この雌ネジ部品１２０を既存のアレンナットと同様に、アレンキーで回転させることができる。
【００４８】
なお、本実施の形態の締結部品セット１００の雄ネジ部品１１０と雌ネジ部品１２０と回転ストッパ１３０とは、例えば、ＳＵＳ６３０，ＩＮ７３８ＬＣ，ＭａｒＭ２４７ＬＣ，ＭＧＡ１４００，ニッケル耐熱合金，などで形成することができる。
【００４９】
このようなニッケル耐熱合金としては、Ｃ：０．０５〜０．２５％、Ｃｒ：１８〜２５％、Ｃｏ：１５〜２５％、Ｍｏ≦３．５％、Ｗ：５〜１０％、Ｗ＋１／２Ｍｏ：５〜１０％、Ｔｉ：１．０〜５．０％、Ａｌ：１．０〜４．０％、Ｔａ：０．５〜４．５％、Ｎｂ：０．２〜３．０％、Ｚｒ：０．００５〜０．１０％、Ｂ：０．００１〜０．０１％、残Ｎｉ、の合金などが利用できる。
【００５０】
なお、本発明は本実施の形態に限定されるものではなく、その要旨を逸脱しない範囲で各種の変形を許容する。例えば、上記形態では、雄ネジ部品１１０の本体雄ネジ１１２と内部雌ネジ１２１、雌ネジ部品１２０の内部雌ネジ１２１と締結ボルト１４０のボルト雄ネジ、が通常ネジに形成されていることを想定した。
【００５１】
しかし、雄ネジ部品１１０の本体雄ネジ１１２と内部雌ネジ１２１とが逆ネジに形成されており、雌ネジ部品１２０の内部雌ネジ１２１と締結ボルト１４０のボルト雄ネジとが逆ネジに形成されていてもよい。
【００５２】
この場合、雄ネジ部品１１０の本体雄ネジ１１２に螺合される雌ネジ部品１２０の回転方向と、雌ネジ部品１２０の内部雌ネジ１２１に螺合される締結ボルト１４０の回転方向と、が逆転する。
【００５３】
このため、雄ネジ部品１１０に螺合されている雌ネジ部品１２０の締結を弱化する方向の回転は、雄ネジ部品１１０に螺合されてる締結ボルト１４０の締結を強化することになる。
【００５４】
雄ネジ部品１１０に螺合されてる締結ボルト１４０の締結を弱化する方向の回転は、雄ネジ部品１１０に螺合されている雌ネジ部品１２０の締結を強化することになる。従って、締結部品セット１００の締結を、より確実とすることができる。
【００５５】
さらに、上記形態では雌ネジ部品１２０のストッパ挿入孔１２３と回転ストッパ１３０の外面１３１とが、六角形の平面形状に形成されていることを例示した。しかし、このような雌ネジ部品１２０のストッパ挿入孔１２３と回転ストッパ１３０の外面１３１とは、軸線方向に挿入自在で回転不能に係合する形状であればよく、例えば、矩形などでもよい(図示せず)。
【００５６】
また、上記形態では雄ネジ部品１１０の上端面と回転ストッパ１３０の下端面とが単純に平面からなることを想定した。しかし、雄ネジ部品１１０の上端面と回転ストッパ１３０の下端面とを、側面や凹凸形状に形成しておいてもよい(図示せず)。この場合、さらに回転ストッパ１３０の圧接で雄ネジ部品１１０と雌ネジ部品１２０との相対回転を良好に防止することができる。
【００５７】
さらに、上記形態では締結部品セット１００の締結ボルト１４０が、いわゆる六角ボルトからなることを例示した。しかし、この締結ボルト１４０が、アレンボルトなどからなってもよい(図示せず)。
【００５８】
つぎに、本発明の実施の第二の形態を図５を参照して以下に説明する。なお、本実施の形態に関して上述した第一の形態と同一の部分は、同一の名称および符号を使用して詳細な説明は省略する。
【００５９】
本実施の形態の締結部品セット２００は、雄ネジ部品２１０と、雌ネジ部品１２０と、回転ストッパ１３０と、ストッパ圧接機構である締結ナット２２０と、爪付ワッシャ１５０と、を有する。
【００６０】
雄ネジ部品２１０は、本体軸部１１１の先端部分から同軸上に回転ストッパ１３０の貫通孔１３２を挿通する延長軸部２１１が突設されており、延長軸部２１１の外周面に延長雄ネジ２１２が形成されている。
【００６１】
そして、締結ナット２２０は、いわゆる既存の六角ナットからなり、回転ストッパ１３０の貫通孔１３２を挿通した、延長軸部２１１の延長雄ネジ２１２に螺合されて雄ネジ部品２１０に締結される。
【００６２】
なお、本実施の形態の締結部品セット２００でも、雄ネジ部品２１０の大径の本体雄ネジ１１２と小径の延長雄ネジ２１２とのネジピッチが相違しており、雌ネジ部品１２０の大径の内部雌ネジ１２１と締結ナット２２０の小径のナット雌ネジ(図示せず)とのネジピッチが相違している。
【００６３】
上述のような構成において、本実施の形態の締結部品セット２００でも、まず最初に、雄ネジ部品２１０に雌ネジ部品１２０を、図中上方から必要な位置まで螺合させる。つぎに、雄ネジ部品２１０に下部が螺合した雌ネジ部品１２０の上部のストッパ挿入孔１２３に、回転ストッパ１３０を図中上方から挿入する。
【００６４】
このとき、回転ストッパ１３０の貫通孔１３２に、雄ネジ部品２１０の延長軸部２１１が挿通される。このような状態で、この回転ストッパ１３０の上面に突出した延長軸部２１１の延長雄ネジ２１２に、爪付ワッシャ１５０を介して締結ナット２２０を締結する。
【００６５】
本実施の形態の締結部品セット２００でも、上述のように締結ナット２２０が雄ネジ部品２１０と締結されることにより、回転ストッパ１３０が雄ネジ部品２１０に圧接される。このため、雄ネジ部品２１０は回転ストッパ１３０に押圧されて回転困難となる。
【００６６】
この回転ストッパ１３０は、雄ネジ部品２１０に螺合されている雌ネジ部品１２０に回転不能に係合しているので、雄ネジ部品２１０と雌ネジ部品１２０とが回転不能の状態となる。
【００６７】
従って、本実施の形態の締結部品セット２００では、振動や温度変化などの外乱により雄ネジ部品２１０と雌ネジ部品１２０との締結が弱化したり解除されることを良好に防止できる。
【００６８】
しかも、本実施の形態の締結部品セット２００でも、前述のように雄ネジ部品２１０の大径の本体雄ネジ１１２と小径の延長雄ネジ２１２とのネジピッチが相違しており、雌ネジ部品１２０の大径の内部雌ネジ１２１と締結ナット２２０の小径のナット雌ネジ(図示せず)とのネジピッチが相違している。
【００６９】
このため、雄ネジ部品２１０と雌ネジ部品１２０との螺合の回転と、雄ネジ部品２１０と締結ナット２２０との螺合の回転とで、軸線方向の変位量が相違する。従って、雄ネジ部品２１０に螺合されている雌ネジ部品１２０と締結ナット２２０とが同一に回転して締結が解除されることもない。
【００７０】
さらに、締結ナット２２０は既存の六角ナットからなるので、締結部品セット２００の構成を簡単とすることができ、最終的に使用する締結ナット２２０を容易に交換することもできる。
【００７１】
なお、本発明は本実施の形態に限定されるものでもなく、その要旨を逸脱しない範囲で各種の変形を許容する。例えば、上記形態では、雄ネジ部品２１０の本体雄ネジ１１２と延長雄ネジ２１２、雌ネジ部品１２０の延長雄ネジ２１２と締結ナット２２０のナット雌ネジ、が通常ネジに形成されていることを想定した。
【００７２】
しかし、雄ネジ部品２１０の本体雄ネジ１１２と延長雄ネジ２１２とが逆ネジに形成されており、雌ネジ部品１２０の延長雄ネジ２１２と締結ナット２２０のナット雌ネジとが逆ネジに形成されていてもよい。
【００７３】
この場合、雄ネジ部品２１０の本体雄ネジ１１２に螺合される雌ネジ部品１２０の回転方向と、雌ネジ部品１２０の延長雄ネジ２１２に螺合される締結ナット２２０の回転方向と、が逆転する。
【００７４】
このため、雄ネジ部品２１０に螺合されている雌ネジ部品１２０の締結を弱化する方向の回転は、雄ネジ部品２１０に螺合されてる締結ナット２２０の締結を強化することになる。
【００７５】
雄ネジ部品２１０に螺合されてる締結ナット２２０の締結を弱化する方向の回転は、雄ネジ部品２１０に螺合されている雌ネジ部品１２０の締結を強化することになる。従って、締結部品セット２００の締結を、より確実とすることができる。
【００７６】
また、上記形態では締結部品セット２００の締結ナット２２０が、いわゆる六角ナットからなることを例示した。しかし、この締結ナット２２０が、アレンナットなどからなってもよい(図示せず)。
【００７７】
また、本実施の形態の締結部品セットを蒸気タービンの仕切板水平面ボルトのナット回り止め構造に適用した場合、雌ネジ部品１２０に対して六角形状のスペーサ(回転ストッパ１３０）が嵌り込む事により、ナットの回転を防ぐことができる。
【００７８】
このため、塑性変形のサイクルを回避することができ、タービン運転中のボルト塑性変形サイクルを回避できることから、ボルト破断リスクを軽減することができる。従って、組立て及び分解時の位置ずれ防止や車室開放時の連れ上がり防止を期待することができる。
【００７９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００８０】
１００  締結部品セット
１１０  雄ネジ部品
１１１  本体軸部
１１２  本体雄ネジ
１１３  先端部分
１１４  先端雌ネジ
１２０  雌ネジ部品
１２１  内部雌ネジ
１２３  ストッパ挿入孔
１３０  回転ストッパ
１３１  外面
１３２  貫通孔
１４０  ストッパ圧接機構である締結ボルト
２００  締結部品セット１００
２１０  雄ネジ部品
２１１  延長軸部
２２０  締結ナット
２１２  延長雄ネジ
【図１】
2013194881.tif 000003
【図２】
2013194881.tif 000004
【図３】
2013194881.tif 000005
【図４】
2013194881.tif 000006
【図５】
2013194881.tif 000007